(57)【要約】【課題】ＨｅＮＢシステムが地域経路最適化を提供する間、コア網装備がＰＤＮ ＧＷを正確だ捜すことができる。【解決手段】ＰＤＮ ＧＷ選択を支援するための方法は、ＭＭＥがＰＤＮ ＧＷｈのＩＰアドレスによって地域経路最適化を支援するＰＤＮ ＧＷのＩＰアドレスを探索する段階と、ＭＭＥがベアラー要請設定メッセージをＰＤＮ ＧＷｈに伝送する段階とを含む。本発明の方法は、コア網装備が、ＨｅＮＢシステムが地域経路最適化を支援する間に、ＰＤＮ ＧＷを正確に探索することができるようにする。【選択図】図２
2015181293.tif 000002
【特許請求の範囲】
【請求項１】
ＬＩＰＡ（ｌｏｃａｌ ｉｎｔｅｒｎｅｔ ｐｒｏｔｏｃｏｌ ａｃｃｅｓｓ）を支援する通信システムのＭＭＥ（ｍｏｂｉｌｉｔｙ ｍａｎａｇｅｍｅｎｔ ｅｎｔｉｔｙ）におけるＰＤＮ（ｐａｃｋｅｔ ｄａｔａ ｎｅｔｗｏｒｋ）ゲートウェイ選択方法において、
基地局からＡＰＮ（ａｃｃｅｓｓ ｐｏｉｎｔ ｎａｍｅ）を含む第１のメッセージを受信する段階と、
加入情報に基づいて前記ＡＰＮにＬＩＰＡのための連結を許容するか否かを判断する段階と、
前記ＡＰＮに前記ＬＩＰＡのための連結が許容され、前記第１のメッセージに前記基地局と共に位置する（ｃｏｌｌｏｃａｔｅ）ゲートウェイアドレスが含まれる場合、前記基地局と共に位置したゲートウェイのアドレスを用いてＰＤＮゲートウェイを選択する段階と、を含むことを特徴とするＰＤＮゲートウェイ選択方法。
【請求項２】
前記第１のメッセージに基づいて前記基地局がＬＩＰＡを支援しない場合、前記連結に対する拒絶メッセージを端末に伝送する段階をさらに含むことを特徴とする請求項１に記載のＰＤＮゲートウェイ選択方法。
【請求項３】
前記第１のメッセージは、Ｓ１メッセージまたはｉｎｉｔｉａｌ ｕｅメッセージであることを特徴とする請求項１に記載のＰＤＮゲートウェイ選択方法。
【請求項４】
前記加入情報は、少なくとも一つのＣＳＧ ＩＤ（ｃｌｏｓｅｄ ｓｕｂｓｃｒｉｂｅｒ ｇｒｏｕｐ Ｉｄｅｎｔｉｆｉｅｒ）を含み、前記少なくとも一つのＣＳＧ ＩＤは前記連結を許容するか否かを決定するために使用されることを特徴とする請求項１に記載のＰＤＮゲートウェイ選択方法。
【請求項５】
ＬＩＰＡ（ｌｏｃａｌ ｉｎｔｅｒｎｅｔ ｐｒｏｔｏｃｏｌ ａｃｃｅｓｓ）を支援する通信システムの基地局における信号送受信方法において、
端末から第１のメッセージを受信する段階と、
前記受信した第１のメッセージに基づいて、ＡＰＮ（ａｃｃｅｓｓ ｐｏｉｎｔ ｎａｍｅ）を含む第２のメッセージをＭＭＥ（ｍｏｂｉｌｉｔｙ ｍａｎａｇｅｍｅｎｔ ｅｎｔｉｔｙ）に伝送する段階と、を含み、
加入情報に基づいて前記ＡＰＮにＬＩＰＡのための連結が許容され、前記第２のメッセージに前記基地局と共に位置する（ｃｏｌｌｏｃａｔｅ）ゲートウェイアドレスが含まれる場合、前記基地局と共に位置したゲートウェイのアドレスを用いてＰＤＮゲートウェイが選択されることを特徴とする信号送受信方法。
【請求項６】
前記ＭＭＥは前記第２のメッセージに基づいて前記基地局がＬＩＰＡを支援しない場合、前記連結に対する拒絶メッセージを端末に伝送することを特徴とする請求項５に記載の信号送受信方法。
【請求項７】
前記第２のメッセージは、Ｓ１メッセージまたはｉｎｉｔｉａｌ ｕｅメッセージであることを特徴とする請求項５に記載の信号送受信方法。
【請求項８】
前記加入情報は、少なくとも一つのＣＳＧ ＩＤ（ｃｌｏｓｅｄ ｓｕｂｓｃｒｉｂｅｒ ｇｒｏｕｐ Ｉｄｅｎｔｉｆｉｅｒ）を含み、前記少なくとも一つのＣＳＧ ＩＤは前記連結を許容するか否かを決定するために使用されることを特徴とする請求項５に記載の信号送受信方法。
【請求項９】
ＬＩＰＡ（ｌｏｃａｌ ｉｎｔｅｒｎｅｔ ｐｒｏｔｏｃｏｌ ａｃｃｅｓｓ）を支援する通信システムのＭＭＥ（ｍｏｂｉｌｉｔｙ ｍａｎａｇｅｍｅｎｔ ｅｎｔｉｔｙ）におけるＰＤＮ（ｐａｃｋｅｔ ｄａｔａ ｎｅｔｗｏｒｋ）において、
信号を送受信する送受信部と、
基地局からＡＰＮ（ａｃｃｅｓｓ ｐｏｉｎｔ ｎａｍｅ）を含む第１のメッセージを受信するように前記送受信部を制御し、加入情報に基づいて前記ＡＰＮにＬＩＰＡのための連結を許容するか否かを判断し、前記ＡＰＮに前記ＬＩＰＡのための連結が許容され、前記第１のメッセージに前記基地局と共に位置する（ｃｏｌｌｏｃａｔｅ）ゲートウェイアドレスが含まれる場合、前記基地局と共に位置したゲートウェイのアドレスを用いてＰＤＮゲートウェイを選択する制御部と、を含むことを特徴とするＭＭＥ。
【請求項１０】
前記制御部は、
前記第１のメッセージに基づいて前記基地局がＬＩＰＡを支援しない場合、前記連結に対する拒絶メッセージを端末に伝送するように前記送受信部を制御することを特徴とする請求項９に記載のＭＭＥ。
【請求項１１】
前記第１のメッセージは、Ｓ１メッセージまたはｉｎｉｔｉａｌ ｕｅメッセージであることを特徴とする請求項９に記載のＭＭＥ。
【請求項１２】
前記加入情報は、少なくとも一つのＣＳＧ ＩＤ（ｃｌｏｓｅｄ ｓｕｂｓｃｒｉｂｅｒ ｇｒｏｕｐ Ｉｄｅｎｔｉｆｉｅｒ）を含み、前記少なくとも一つのＣＳＧ ＩＤは前記連結を許容するか否かを決定するために使用されることを特徴とする請求項９に記載のＭＭＥ。
【請求項１３】
ＬＩＰＡ（ｌｏｃａｌ ｉｎｔｅｒｎｅｔ ｐｒｏｔｏｃｏｌ ａｃｃｅｓｓ）を支援する通信システムの基地局において、
信号を送受信する送受信部と、
端末から第１のメッセージを受信し、前記受信した第１のメッセージに基づいてＡＰＮ（ａｃｃｅｓｓ ｐｏｉｎｔ ｎａｍｅ）を含む第２のメッセージをＭＭＥ（ｍｏｂｉｌｉｔｙ ｍａｎａｇｅｍｅｎｔ ｅｎｔｉｔｙ）に伝送するように前記送受信部を制御する制御部と、を含み、
加入情報に基づいて前記ＡＰＮにＬＩＰＡのための連結が許容され、前記第２のメッセージに前記基地局と共に位置する（ｃｏｌｌｏｃａｔｅ）ゲートウェイアドレスが含まれる場合、前記基地局と共に位置したゲートウェイのアドレスを用いてＰＤＮゲートウェイが選択されることを特徴とする基地局。
【請求項１４】
前記ＭＭＥは前記第２のメッセージに基づいて前記基地局がＬＩＰＡを支援しない場合、前記連結に対する拒絶メッセージを端末に伝送することを特徴とする請求項１３に記載の基地局。
【請求項１５】
前記第２のメッセージは、Ｓ１メッセージまたはｉｎｉｔｉａｌ ｕｅメッセージであることを特徴とする請求項１３に記載の基地局。
【請求項１６】
前記加入情報は、少なくとも一つのＣＳＧ ＩＤ（ｃｌｏｓｅｄ ｓｕｂｓｃｒｉｂｅｒ ｇｒｏｕｐ Ｉｄｅｎｔｉｆｉｅｒ）を含み、前記少なくとも一つのＣＳＧ ＩＤは前記連結を許容するか否かを決定するために使用されることを特徴とする請求項１３に記載の基地局。
【発明の詳細な説明】
【技術分野】
【０００１】
本発明は、通信分野に関し、さらに詳細には、ＨｅＮＢ地域経路最適化を支援するためのパケットデータ網ゲートウェイ（ＰＤＮ ＧＷ）選択方法に関する。
【背景技術】
【０００２】
ＳＡＥシステムの構造が図１に示されている。以下、図１のＳＡＥシステムの構造を説明する。
ユーザ端末（ＵＥ）１０１は、データを受信するための端末装置である。ＥＵＴＲＡＮ１０２は、マクロ基地局（ｅＮＢ）を含み、ＬＴＥ移動電話のための無線網接続インターフェースを提供し、移動性管理装置（ＭＭＥ）１０３とユーザ平面装置であるサービングゲートウェイ（Ｓ−ＧＷ）にインターフェースＳ１を介して連結されている進化したシステムＳＡＥの無線接続網である。ＭＭＥ１０３端末の移動状況（ｍｏｂｉｌｅ  ｃｏｎｔｅｘｔ）、セッション状況、また、ユーザ保安情報管理を担当する。サービングゲートウェイ１０４は、、ユーザ平面での機能を提供する。Ｓ１−ＭＭＥインターフェースは、端末のための無線接続ベアラー生成と無線接続網を介したＵＥからＭＭＥへのメッセージ伝達を担当する。ＭＭＥ１０３とサービングゲートウェイ１０４の結合機能は、本来の汎用パケット無線サービス（ＧＰＲＳ）１０５の機能と類似している。また、ＭＭＥとサービングゲートウェイがいずれも同一の物理的装置に位置することができる。パケットデータ網ゲートウェイ（ＰＤＮ ＧＷ）１０５は、費用処理及び合法的聞き取り（ｌｅｇａｌ  ｌｉｓｔｅｎｉｎｇ）のような機能を担当する。サービングゲートウェイとＰＤＮ ＧＷがいずれも同一の物理的装置に位置することができる。ＳＧＳＮ１０８は、現存ＵＭＴＳでのデータ伝送のためのラウティングを提供する。現在のＳＧＳＮは、アクセスポイント名称（ＡＰＮ）によって対応するゲートウェイＧＰＲＳサポートノード（ＧＧＳＮ）を探索する。ＨＳＳ１０９は、加入者のためのホーム加入者下位システムであって、ＵＥの現在位置、サービングノードのアドレス、加入者保安情報、ＵＥの活性パケットデータプロトコル（ＰＤＰ）状況などの加入者情報を管理する。ＰＣＲＦ１０６は、Ｓ７インターフェースを介してＱｏＳ政策と課金規則を提供する。
【０００３】
図２に示されたように、現在のＨｅＮＢシステムは、ＥＵＴＲＡＮ１０２に存在する。現在のＨｅＮＢシステムは、２つの可能な構造を有する。１つは、別途の接続装置としてＥＵＴＲＡＮに存在するものであり、他の１つは、接続装備ＨｅＮＢとＨｅＮＢ ＧＷの２つの装備であって、ＥＵＴＲＡＮシステム内に存在するものである。ＨｅＮＢ ＧＷは、小さい装備であり、多数のＨｅＮＢを管理するために使用される。コア網の観点から、ＨｅＮＢとＨｅＮＢ ＧＷは、現在のｅＮＢとして見なされることができるが、ＨｅＮＢ ＧＷまたは、ＨｅＮＢからコア網へのインターフェースは、現在のＳＡＥシステムのそれと同一である。ＨｅＮＢは、加入者の家庭に設置される。ＨｅＮＢ ＧＷがＨｅＮＢシステム内に存在すれば、それは、運営者の網に設置される。
【０００４】
ＨｅＮＢは、或るコア網ノードを介してではなく、端末のＨｅＮＢを介した直接インターネット接続及び端末のＨｅＮＢを介した加入者宅内の他の電子装備に対する直接接続を含む地域経路最適化機能を支援する。これは、加入者データの経路を低減するのに有利である。ＨｅＮＢ ＧＷが存在すれば、地域経路最適化機能もＨｅＮＢを介してインターネットに接続される。ＨｅＮＢ ＧＷを介して固定された網の資源を浪費する必要がない。
【０００５】
ＨｅＮＢ地域経路最適化機能を支援するため、現在のＨｅＮＢシステム構造は、改善する余地がある。多様な可能性が存在するので、その構造は、まだ決定されていないし、一部の基本的な原理だけが決定された状態であり、これには、ＨｅＮＢがＰＤＮ ＧＷの機能を有する必要があるということ（ＨｅＮＢ上のＰＤＮ ＧＷ、以下、略記してＰＤＮ ＧＷｈという）も含まれる。しかし、地域経路最適化サービスが活性化されれば、ＭＭＥは、ＰＤＮ ＧＷを探索するための現在の方法によってＨｅＮＢ上のＰＤＮ ＧＷへの経路を正確に捜すことができない。したがって、本発明は、ＰＤＮ ＧＷを探索するための効果的な方法を提案する。
【０００６】
ＨｅＮＢ地域経路最適化機能を支援するために、次のような様々な可能性が存在する。
可能性１：ＨｅＮＢ網装置は、サービングＧＷとＰＤＮ ＧＷの機能を備える必要がある。端末が他の非−地域経路最適化サービスを活性化する場合、このサービスがコア網装備を通過する間、ＨｅＮＢ上のサービングＧＷではなく、コア網のサービングＧＷを通過することができるように要請するユーザ平面ラウティングが必要である。このような状況で、同一のＵＥに対して２つのサービングＧＷが網に存在する。
可能性２：ＨｅＮＢ網装置がＳ−ＧＷとＰＤＮ ＧＷの機能を有し、ＵＥが或る他の非−地域経路最適化サービスを活性化する必要がある時、このサービスがコア網装備を通過する間、ＨｅＮＢ上のＳ−ＧＷを通過するように要求するユーザ平面ラウティングが必要である。
可能性３：このＨｅＮＢ網装置がＳ−ＧＷ、ＰＤＮ ＧＷ、そしてＭＭＥの機能を備えている。この場合、地域経路最適化サービスが活性化されれば、制御平面のシグナリングが運営者網のＭＭＥに伝達される必要がない。このような状況で、ユーザ平面のデータ経路を低減することはもちろん、制御平面のシグナリングをも低減するようになる。
【先行技術文献】
【非特許文献】
【０００７】
【非特許文献１】Alcatel-Lucent，On HNB and HeNB interfaces for LIPA[online]，3GPP TSG-SA WG2#73 S2-093378
【発明の概要】
【発明が解決しようとする課題】
【０００８】
前述した可能性と関連して、どのようにしてＭＭＥがＰＤＮ ＧＷのアドレスを正確に捜すことができるかに対する問題がある。本特許出願は、本発明の一実施例として可能性１だけを勘案する。他の可能な構成もやはり特許出願に含まれた方法を適用することができる。
【課題を解決するための手段】
【０００９】
本発明は、ＨｅＮＢシステムでＰＤＮ ＧＷ探索を支援する方法を提供するためのものである。
ＰＤＮ ＧＷ選択サポート方法は、次のように、
ＭＭＥが地域経路最適化サービス要請情報を受信する段階と；
ＭＭＥがＰＤＮ ＧＷｈのＩＰアドレスによって地域経路最適化を支援するＰＤＮ ＧＷのＩＰアドレスを探索する段階と；
ＭＭＥがベアラー要請設定メッセージをＰＤＮ ＧＷｈに伝送する段階と；を含む。
【発明の効果】
【００１０】
本発明の方法により、ＨｅＮＢシステムが地域経路最適化を提供する間、コア網装備がＰＤＮ ＧＷを正確だ捜すことができる。
【図面の簡単な説明】
【００１１】
【図１】ＳＡＥシステムの網構造を示す図である；
【図２】ＨｅＮＢシステムの網構造を示す図である；
【図３】第１実施例を示す図である：ＰＤＮ連結設定過程；
【図４】第２実施例を示す図である：ＰＤＮ連結設定過程；
【図５】第３実施例を示す図である：ＨｅＮＢ活性化過程；
【図６】第４実施例を示す図である：ＰＤＮ連結設定過程；
【図７】第５実施例を示す図である：初期接続過程；
【図８】第６実施例を示す図である：ＰＤＮ連結設定過程；
【図９】第７実施例を示す図である：ＰＤＮ連結設定過程；
【図１０】第８実施例を示す図である：ＰＤＮ連結設定過程；
【図１１】第８実施例を示す図である：Ｓ１設定過程；
【図１２】第８実施例を示す図である：ＰＤＮ連結設定過程。
【発明を実施するための形態】
【００１２】
本発明の第１実施例において、ＵＥは、地域経路最適化サービス設定を要請し、ＵＥ要請のＰＤＮ連結手続が図３に示されている。
以下、図面を参照して詳しく説明する。ここで、本発明と関係ない技術の詳細な説明は省略される。
３０１．ＲＲＣ連結設定手続
３０１ａ．ＵＥは、上向きリンク直接伝送を通じてＨｅＮＢにＮＡＳメッセージを伝送する。
【００１３】
３０２．ＨｅＮＢが上向きリンク直接伝送を通じてＨｅＮＢ ＧＷにＳ１メッセージを伝送し、ここで、このメッセージは、ＰＤＮ ＧＷｈまたは、Ｓ−ＧＷｈとＰＤＮ ＧＷｈ（Ｓ−ＧＷｈとＰＤＮ ＧＷｈは、ＨｅＮＢ上に位置するＳ−ＧＷとＰＤＮ ＧＷを示し、コア網がＳ−ＧＷとＰＤＮ ＧＷとに区別される）のアドレス情報を含まなければならない。さらに、このメッセージは、ＨｅＮＢが地域経路最適化を支援するかに関する情報をも含む。
もしＭＭＥが地域経路最適化サービス活性化前に、網接続過程で初期ＵＥメッセージを通じてＰＤＮ ＧＷｈまたは、Ｓ−ＧＷｈとＰＤＮ ＧＷｈのアドレスとＨｅＮＢが地域経路最適化を支援するかに関する情報を要求すれば、上向きリンク直接伝送を介した情報は、ＰＤＮ ＧＷｈあるいは、Ｓ−ＧＷｈとＰＤＮ ＧＷｈのアドレスとＨｅＮＢが地域経路最適化を支援するか否かに関する情報を含む必要がない。
【００１４】
３０３．ＨｅＮＢ ＧＷは、上向きリンク直接伝送を通じてＭＭＥにＳ１メッセージを伝送し、ここで、このメッセージは、ＰＤＮ ＧＷｈのアドレス情報を含まなければならない。ＨｅＮＢは、自分が地域経路最適化を支援するかに関する情報をＭＭＥに報告する。
３０４．ＵＥのために、ＭＭＥは、Ｓ１連結が成功的に設定された後、ＮＡＳメッセージの形態でＰＤＮ連結設定要請を受信する。このメッセージは、ＵＥによって要請されたＡＰＮ情報を含む。ＮＡＳメッセージ形態のＰＤＮ連結設定要請は、地域経路最適化を活性化するための要請メッセージとして機能する。
【００１５】
ＭＭＥは、ＵＥの加入者情報を格納していて、これには、ＡＰＮとＰＤＮ ＧＷ ＩＤ情報が含まれる。ＵＥによって要請されたＡＰＮ情報は、地域経路最適化のようなＵＥによって要請されたサービスの形態を含む。ＭＭＥは、ＵＥの加入情報によって要請されたＡＰＮを確認し、ＵＥの加入情報が地域経路最適化サービスを含めば、ＰＤＮ ＧＷアドレス探索を開始する。そうでなければ、ＭＭＥは、ＰＤＮ連結要請を拒絶し、認証に失敗すれば、次の手続を停止する。ＭＭＥがＵＥの要請に対してＰＤＮ連結を許可するか否かを決定する他の方法は、：ＵＥがＨｅＮＢグループの一員であり、ＨｅＮＢが地域経路最適化サービスを支援することができる場合にのみ、ＵＥは、地域経路最適化サービスに接続が許可されるようにする。また、ＭＭＥは、ＵＥが他の方式で地域経路最適化サービスに支援したか否かを確認することができれば、これも本発明に適用されることができる。ＵＥが要請したサービスが地域経路最適化サービスであることから、ＭＭＥは、ＰＤＮ ＧＷ ＩＤ＋ＡＰＮ式でＵＥに対する適当なＰＤＮ ＧＷを探索する必要がないが、Ｓ１メッセージに伝達されるＰＤＮ ＧＷｈのアドレスを通じてこれを行うことができる。
【００１６】
本発明の一実施例において、ＨｅＮＢが地域経路最適化を支援しない場合、ＭＭＥは、（図９に示された実施例のように）ＵＥによって伝達された地域経路最適化要請処理を拒否するという点に注目されたい。本発明の他の実施例において、ＭＭＥは、ＵＥが（地域経路最適化なしにコア網を通じて通信する）一般サービスモードで要請したサービスに対してベアラーを生成する。
もしＰＤＮ連結要請がＡＰＮ情報を含まない場合、ＭＭＥは、格納された基本ＡＰＮ情報によってＵＥのために適当なＰＤＮ ＧＷを探索する。そうでなければ、ＭＭＥは、一般的な手続によってＰＤＮ ＧＷアドレスを探索する。
３０５  ＭＭＥは、ＰＤＮ ＧＷｈのアドレスによってＰＤＮ ＧＷｈにデフォルトベアラー生成要請メッセージを伝送する
その後のすべての手続は、現行手続と同一なので、詳しく説明しない。
【００１７】
本発明の第２実施例においては、端末が地域経路最適化サービス設定を要請及びＵＥによって要請されたＰＤＮ連結を示す。本発明と関連しない技術に対する詳細な説明は、図４で省略される。
４０１．ＲＲＣ連結設定手続
４０１ａ．ＵＥは、上向きリンク直接伝送を通じてＨｅＮＢにＮＡＳメッセージを伝送する
４０２．ＨｅＮＢは、上向きリンク直接伝送を通じてＨｅＮＢにＳ１メッセージを伝送し、このメッセージは、ＨｅＮＢが地域経路最適化を支援するかに関する情報を含む。ＨｅＮＢ ＧＷがない場合、ＨｅＮＢは、ＭＭＥに直接当該メッセージを伝送する。
４０３．ＨｅＮＢは、上向きリンク直接伝送を通じてＭＭＥにＳ１メッセージを伝送し、ＨｅＮＢは、自分が地域経路最適化を支援することができるか否かをＭＭＥに報告する。
【００１８】
４０４．端末のために、ＭＭＥは、Ｓ１連結が成功的に設定された後、ＮＡＳ形態でＰＤＮ連結設定要請を受信する。このメッセージは、ＵＥが要請したＡＰＮ情報を含むこともできる。
４０５．ＨＳＳに格納された加入情報は、ＡＰＮと対応するＰＤＮ ＧＷ ＩＤとを含む。サービス運営者は、地域経路最適化サービスに対応し、ＨｅＮＢに格納されているＡＰＮのＰＤＮ ＧＷ ＩＤ内のＰＤＮ ＧＷｈのＩＰアドレスを直接設定するために、または、ＵＥが地域経路最適化サービスに加入したら、ＨｅＮＢの署名された加入者のために他の形態の加入者情報内に存在するＳ−ＧＷとＰＤＮ ＧＷｈを格納するために選択することができる。ＭＭＥは、ＨＳＳからＭＭＥが適当なＰＤＮ ＧＷを選択する間、他の加入者情報のＨＳＳまたはＳ−ＧＷｈ／ＰＤＮ ＧＷｈから獲得したＰＤＮ ＩＤ内に含まれたＰＤＮ ＧＷｈＩＰアドレスによってＰＤＮ ＧＷｈを直接探索することができる。
【００１９】
本発明の一実施例において、（図９に示された実施例のように）ＨｅＮＢが地域経路最適化を支援しなければ、ＭＭＥは、ＵＥによって要請された地域経路最適化の活性化要請処理を拒絶するという点に注目されたい。本発明の他の実施例において、ＭＭＥは、一般サービスモードでＵＥによって要請されたサービスのためのベアラーを設定する。
以下の手続は、第１実施例の手続と同一である。
【００２０】
本発明の第３実施例の電源活性化（ｐｏｗｅｒ−ｏｎ）手続は、図５に示された通りである。以下、図面を参照して詳しく説明する。本発明と関係ない技術に対する詳細な説明は、ここでは省略される。
５０１．ＨｅＮＢは、電源活性化後に、保安ゲートウェイと直接保安トンネルを設定し、保安ゲートウェイは、トンネル生成後、ＨｅＮＢにＩＰアドレスを割り当て、ここで、ＩＰアドレスは、運営者網の内部ＩＰアドレスであり、外部装備によって接近されることができない。
５０２．ＨｅＮＢは、自分のＨｅＮＢ管理システム（ＨＭＳ）と相互情報を交換し、ＨＭＳは、ＨｅＮＢを検証し、成功的に認証されれば、認証されたＨｅＮＢのための設定パラメータを提供し、ＨｅＮＢのための適当なＨｅＮＢ ＧＷを探索する。ＨＭＳは、この過程中に他の運営者管理維持（ＯＡＭ）装備を通じてＨｅＮＢのために割り当てられたＳ−ＧＷｈ／ＰＤＮ ＧＷｈＩＰアドレスを獲得することができる。ＭＭＥは、このＨｅＮＢのために対応する割り当てられたＳ−ＧＷｈ／ＰＤＮ ＧＷｈＩＰアドレスを格納しなければならない。
５０３．ＨｅＮＢの登録手続
【００２１】
本発明の第４実施例は、ＵＥが地域経路最適化サービス設定を要請する過程とＵＥによって要請されたＰＤＮ連結を示す。図６に示されたように、本発明の関係ない技術に対する詳細な説明は、以下省略される。
６０１−６０４段階は、第２実施例の対応段階と同一である。
ＭＭＥは、地域経路最適化サービスを支援するＨｅＮＢと事前設定されたＰＤＮ ＧＷｈのＩＰアドレスの間の対応関係を格納し、ここで、ＨｅＮＢの識別子は、ＨｅＮＢ ＩＤまたは、ＣＳＧ ＩＤであることができ、または、ＩＰアドレスなどの情報になることができ、但し、このようなＩＤだけがＨｅＮＢを識別することができる。ＨｅＮＢの電源活性化及び登録過程で、ＭＭＥは、保安ゲートウェイと他の装備にＯＡＭ装備などを通じて事前設定されたＰＤＮ ＧＷｈ／Ｓ−ＧＷｈアドレスを通知し、ＭＭＥに事前設定されたアドレスが地域経路最適化サービスが活性化されている間、ＵＥにサービスを提供するＳ−ＧＷｈ／ＰＤＮ ＧＷｈのために割り当てられる。
ＭＭＥがＵＥのＰＤＮ連結要請を受信し、この要請に地域経路最適化サービス情報が含まれていれば、ＭＭＥは、まず、この要請を検証し、要請が検証を通過すれば、ＨｅＮＢのＩＤによってＳ−ＧＷｈ／ＰＤＮ ＧＷｈの対応ＩＰアドレスを探索する。
【００２２】
本発明の一実施例によれば、ＭＭＥは、（図９の実施例のように）ＨｅＮＢが地域経路最適化を支援しなければ、ＵＥによって要請された地域経路最適化の活性化要請処理を拒絶する。本発明の他の実施例において、ＭＭＥは、ＵＥが一般サービスモードで要請したサービスのためにベアラーを設定する。
６０５．ＭＭＥは、Ｐ−ＧＷアドレス情報によって基本ベアラー設定要請を伝送する
以後のモード手続は、実施例１及び２と同一である。
第１、第２、第３、第４、及び第８実施例は、地域経路最適化機能が支援される状態で、ＰＤＮ ＧＷを探索する４つの方法を示す。この４つの方法は、互いに代替されることができる。  
【００２３】
本発明の第５実施例は、網接続手続を示している。図７に示されたように、本発明と関係ない技術の詳細な説明は、以下省略される。
７０１．ＲＲＣ連結設定
７０１ａ．ＵＥは、上向きリンク直接伝送を通じてＨｅＮＢにＮＡＳメッセージを伝送する
７０２．ＵＥメッセージが発生すれば、地域経路最適化を支援するＨｅＮＢ上のＰＤＮ ＧＷｈのアドレス情報がこのメッセージに伝達される。
【００２４】
ＵＥが接続手続をまず実行し、地域経路最適化サービスを活性化するために多数のＰＤＮ連結を実行すれば、多数のＰＤＮ連結のうち上向きリンク直接伝送を用いたメッセージは、ＨｅＮＢ上に格納されたＰＤＮ ＧＷｈのアドレス情報と地域経路最適化支援のためのＨｅＮＢの性能情報を含まない。
７０５．ＮＡＳメッセージによって、もしＮＡＳメッセージが網接続要請なら、ＭＭＥは、提案された方法１、２または３を無視し、もしＮＡＳメッセージがＰＤＮ活性化要請であるか、他のＮＡＳ  ｍｅｓｓａｇｅであり、ＡＰＮによって指示された地域経路最適化サービスを含む場合には、方法１、２、３または４によってＰＤＮ ＧＷアドレスを探索する。
【００２５】
本発明の第６実施例は、ＰＤＮ連結設定手続を示す。図８に示されたように、本発明と関係ない技術についての詳細な説明は、以下省略される。
８０１−８０３段階は、第１ないし４実施例の方法によって実行される。
８０４段階は、どのベアラーが地域経路最適化サービスを支援するかを区分することができ、ＰＤＮ連結設定を承認するベアラー設定要請に対する応答としてどのベアラーが地域経路最適化サービスを支援するかを識別する識別情報を伝達する。もし地域経路最適化サービスを支援するために多数のベアラーが設定される場合、各ベアラーは、地域経路最適化サービス支援に対する識別情報を追加しなければならない。
さらに、ＨｅＮＢは、多数のベアラーを区分することができ、これらのうちどのベアラーが地域経路最適化サービスを支援するかを識別することができる。
【００２６】
このような実施例は、ＨｅＮＢから他の地域へのＵＥ伝送に適用することができ、これは、地域経路最適化サービスを支援するベアラーの効果的解除及び地域経路最適化サービスを支援しないベアラーが解除防止を保証する。
本発明の第７実施例は、ＰＤＮ連結設定手続を示している。図９に示されたように、本発明と関係ない技術に対する詳細な説明は、以下省略される。
【００２７】
第７実施例は、ＨｅＮＢが地域経路最適化サービスを支援することができるかによって端末の地域経路最適化サービス接続を許容すべきかを決定するＭＭＥ手続を説明する。
９０１．ＲＲＣ連結設定手続
９０１ａ．ＵＥは、上向きリンク直接伝送を通じてＨｅＮＢにＮＡＳメッセージを伝送する
９０２．ＨｅＮＢは、自分が地域経路最適化サービスを支援するかに関する情報を含む上向きリンク直接伝送メッセージをＨｅＮＢ ＧＷに伝送する。この上向きリンク直接伝送メッセージは、現在上向きリンク伝送と新しいＳ１メッセージを通じて伝送されることができる。もしＵＥがまず接続手続を実行し、地域経路最適化サービスを活性化するためにマルチ−ＰＤＮ連結手続を実行すれば、ＨｅＮＢは、この手続の間に上向きリンク直接伝送を通じてＭＭＥにメッセージを伝送する。このメッセージは、ＨｅＮＢが地域経路最適化を支援することができるかを指示する情報を含むことができる。
【００２８】
９０３．ＨｅＮＢ ＧＷは、ＨｅＮＢが地域経路最適化を支援することができるかを指示する情報を含むメッセージをＭＭＥに伝送する。このメッセージは、上向きリンク直接伝送を通じて現存するメッセージを通じて、そして、新規のＳ１メッセージすべてを通じて伝送されることができる。もしＨｅＮＢ ＧＷが展開されないシナリオが存在すれば、初期ＵＥメッセージは、、ＨｅＮＢ ＧＷを通じてＭＭＥに伝達される代わりに、直接ＭＭＥに伝送される。もし地域経路最適化サービスを活性化させるために、ＵＥが接続手続に先立って、多重−ＰＤＮ連結手続を実行すれば、ＨｅＮＢは、この段階で、上向きリンク直接伝送を通じてＭＭＥにこのメッセージを伝送する。このメッセージは、ＨｅＮＢが地域経路最適化を支援することができるか否かを指示する情報を含むことができる。
【００２９】
９０４．このＵＥのために、Ｓ１連結が成功的に設定された後、ＭＭＥは、ＰＤＮ連結設定を要請するＮＡＳメッセージを受信する。このＮＡＳメッセージは、地域経路最適化サービスを活性化するための要請メッセージとしてＰＤＮ連結機能を設定するための要請メッセージである。
９０５．もしＨｅＮＢが地域経路最適化を支援することができない場合、
９０２ｂ．ＭＭＥは、ＰＤＮ連結のためのＵＥ要請に応答する。この応答メッセージは、地域経路最適化サービスに対するＵＥ接続拒絶の理由、例えば、地域経路最適化サービスを支援しない理由を含む。
もしＨｅＮＢが地域経路最適化サービスを支援することができる場合、
ＭＭＥは、第１、第２、第３及び第４実施例に説明された前記方法によってＵＥのためのＰＤＮ ＧＷを探索する。
【００３０】
本発明の第８実施例は、ＰＤＮ連結設定手続を説明する。図１０、図１１及び図１２に示されたように、本発明と関係ない技術に対する詳細な説明は、以下省略される。
また、本実施例は、地域経路最適化サポート可能ＰＤＮ ＧＷ探索を支援する方法である。（方法４）
本実施例は、２つの状況に適用されることができる：
状況１：ＰＤＮ ＧＷとＨｅＮＢが同一のＩＰアドレスを有する。ＰＤＮ連結手続は、図１０に示されている。
状況２：ＰＤＮ ＧＷｈとＨｅＮＢが異なるＩＰアドレスを有する。Ｓ１及びＰＤＮ連結手続がそれぞれ図１０及び図１２に示されている。
１００１．ＵＥがＰＤＮ連結要請を伝送する。ＰＤＮ連結機能設定を要請するＮＡＳメッセージは、地域経路最適化サービス活性化のための要請メッセージである。
【００３１】
１００２．ＭＭＥは、ＵＥのＰＤＮ連結要請またはユーザの加入メッセージによって伝達されたメッセージによってＵＥのために地域経路最適化を支援することができるＰＤＮ ＧＷのアドレスを探索する。
もしＨｅＮＢ ＧＷが展開されている状況で、ＰＤＮ ＧＷｈとＨｅＮＢが同一のＩＰアドレスを有すれば、連結されたＨｅＮＢアドレスは、ＨｅＮＢ ＧＷ上に格納される。ＭＭＥは、地域経路最適化サービスを活性化するためのＰＤＮ連結要請を受信した後、ＨｅＮＢ ＧＷにＳ１地域経路最適化メッセージを直接伝送する。ＭＭＥは、ＰＤＮ ＧＷｈアドレスと地域経路最適化を支援するＨｅＮＢ性能情報を要請する。
もしＨｅＮＢ ＧＷが展開されていない状況で、ＨｅＮＢとＰＤＮ ＧＷｈが同一のＩＰアドレスを有すれば、ＨｅＮＢのＩＰアドレス情報は、伝送される必要がなく、これは、これらの情報がＭＭＥ上に格納されているからである。
１００３．ＨｅＮＢ ＧＷは、地域経路最適化応答メッセージをＭＭＥに伝送する。この応答メッセージは、ＰＤＮ ＧＷｈアドレス情報とＨｅＮＢの地域経路最適化サポート性能を含む。
【００３２】
１００４．ＭＭＥは、獲得したＰＤＮ ＧＷｈアドレスによってデフォルトベアラー設定要請メッセージを伝送する。
第２の状況で、ＨｅＮＢとＰＤＮ ＧＷｈが異なるＩＰアドレスを有すれば、
１１０１．ＨｅＮＢは、ＨｅＮＢ ＧＷにＰＤＮ ＧＷｈアドレスを含むＳ１連結設定メッセージを伝送するＨｅＮＢ ＧＷは、アドレス情報とＨｅＮＢの対応関係を格納する。
このメッセージを通じて、ＨｅＮＢが自分が地域経路最適化を支援することができるかを指示する情報をＨｅＮＢ ＧＷに伝送することができる。ＨｅＮＢ ＧＷは、ＨｅＮＢ間の地域経路最適化サポート性能の対応関係を格納することができる。
ＨｅＮＢ ＧＷが展開されている状況で、ＨｅＮＢ ＧＷからＭＭＥへのＳ１設定手続の間に、ＭＭＥにＰＤＮ ＧＷｈアドレス情報とＨｅＮＢが地域経路最適化を支援するかを指示する情報を含むメッセージ伝送が必要ではないが、ＨｅＮＢ ＧＷ上に前記対応関係だけが格納される。
【００３３】
反対に、ＨｅＮＢからＭＭＥに伝送されたＳ１連結設定メッセージは、ＰＤＮ ＧＷｈアドレス情報または、ＨｅＮＢが地域経路最適化を支援するかを指示する情報を伝達しなければならない。ＭＭＥは、ＨｅＮＢとＰＤＮ ＧＷｈの対応関係及びＨｅＮＢの地域経路最適化サポート性能を格納する。
１２０１．ＵＥは、ＰＤＮ連結要請をＭＭＥに伝送する。ＰＤＮ連結機能設定を要請するＮＡＳメッセージは、地域経路最適化サービス活性化要請メッセージである。
ＭＭＥは、ＵＥのＰＤＮ連結要請または加入メッセージによって伝達された情報によって端末に対して地域経路最適化を支援することができるＰＤＮ ＧＷがアドレスを探索する。
もしＭＭＥがＨｅＮＢとＰＤＮ ＧＷｈの対応関係または、ＨｅＮＢの地域経路最適化サポート性能の対応関係を格納していなければ、
１２０２．ＭＭＥは、ＨｅＮＢにＳ１地域経路最適化要請メッセージを伝送し、ＨｅＮＢ ＧＷからＰＤＮ ＧＷｈアドレスまたは、ＨｅＮＢ性能情報を獲得する。
もしＭＭＥがＨｅＮＢとＰＤＮ ＧＷｈとの対応関係または、ＨｅＮＢの地域経路最適化サポート性能とＨｅＮＢとの対応関係を格納していれば、例えば、設置されたＨｅＮＢ ＧＷが存在しなければ、ＭＭＥは、１２０２及び１２０３段階を行う必要がない。
【００３４】
１２０３．ＨｅＮＢ ＧＷは、ＭＭＥに地域経路最適化応答メッセージを伝送する。このメッセージは、ＰＤＮ ＧＷｈアドレス情報または、ＨｅＮＢが地域経路最適化を支援するか否かを指示する情報を含む。または、２つのタイプの情報をすべて伝送する
１２０４．ＭＭＥは、獲得したＰＤＮ ＧＷｈによってデフォルトベアラー設定要請を伝送する。
ＭＭＥは、ＨｅＮＢの性能メッセージによってＰＤＮ連結手続を継続するか否かを決定することができる。詳細な手続は、実施例７と図９を参照して説明された。
【００３５】
本発明が実施例とともに説明されたが、この実施例は、説明の便宜のためのものであって、本発明を限定しない。当業者に本発明の思想と範囲を逸脱しない限、実施例の一部が変形、追加、削除されることができることが自明である。
【符号の説明】
【００３６】
１０１・・・ユーザ端末
１０２・・・ＥＵＴＲＡＮ
１０３・・・移動性管理装置
１０４・・・サービングゲートウェイ
１０５・・・パケットデータ網ゲートウェイ
１０６・・・ＰＣＲＦ
１０７・・・ＵＴＲＡＮ
１０８・・・ＳＧＳＮ
１０９・・・ＨＳＳ
【図１】
2015181293.tif 000003
【図２】
2015181293.tif 000004
【図３】
2015181293.tif 000005
【図４】
2015181293.tif 000006
【図５】
2015181293.tif 000007
【図６】
2015181293.tif 000008
【図７】
2015181293.tif 000009
【図８】
2015181293.tif 000010
【図９】
2015181293.tif 000011
【図１０】
2015181293.tif 000012
【図１１】
2015181293.tif 000013
【図１２】
2015181293.tif 000014